(57)【要約】【課題】ネックレスの取り付けまたは取り外しの際の取り扱い性の向上を図ったネックレス連結具を提供する。【解決手段】ネックレスの一端部と他端部とを互いに連結するネックレス連結具であって、無端状を成した連結具本体１０が固定分割片１１と可動分割片１２とに分割され、可動分割片１２の一側端部１２Ａは固定分割片１１の一側端部１１Ａにピン１３を介して連結されて、可動分割片１１はピン１３周りに連結具本体１０内側へのみ回動自在に支持され、かつ可動分割片１２の他側端部１２Ｂは固定分割片１１の他側端部１１Ｂに対向配置され、可動分割片１２の一側端部１２Ａ及び固定分割片１１の側端部１１Ａには互いに異極である第一の磁石対２４、２５が設けられ、可動分割片１２の他側端部１２Ｂ及び固定分割片１１の他側端部１１Ｂには互いに異極である第二の磁石対３０、３１が設けられている。【選択図】図２
2010022688.tif 000002
【特許請求の範囲】
【請求項１】
ネックレスの一端部と他端部とを互いに連結するネックレス連結具であって、
無端状を成した連結具本体が固定分割片と可動分割片とに分割され、前記可動分割片の一側端部は前記固定分割片の一側端部にピンを介して連結されて、前記可動分割片は前記ピン周りに連結具本体内側へのみ回動自在に支持され、かつ前記可動分割片の他側端部は前記固定分割片の他側端部に対向配置され、
前記可動分割片の一側端部及び前記固定分割片の一側端部には、互いに異極である第一の磁石対が設けられ、
前記可動分割片の他側端部及び前記固定分割片の他側端部には、互いに異極である第二の磁石対が設けられていることを特徴とするネックレス連結具。
【請求項２】
前記第一の磁石対は、前記可動分割片の一側端部の端面及び前記固定分割片の一側端部の端面に設けられ、
前記第二の磁石対は、前記可動分割片の他側端部の端面及び前記固定分割片の他側端部の端面に設けられていることを特徴とする請求項１に記載のネックレス連結具。
【請求項３】
ネックレスチェーンに吊されるペンダントであって、
無端状を成したペンダント本体が固定分割片と可動分割片とに分割され、
前記可動分割片の一側端部は前記固定分割片の一側端部にピンを介して連結されて、前記可動分割片は前記ピン周りにペンダント本体内側へのみ回動自在に支持され、かつ前記可動分割片の他側端部は前記固定分割片の他側端部に対向配置され、
前記可動分割片の一側端部及び前記固定分割片の一側端部には、互いに異極である第一の磁石対が設けられ、
前記可動分割片の他側端部及び前記固定分割片の他側端部には、互いに異極である第二の磁石対が設けられていることを特徴とするペンダント。
【発明の詳細な説明】
【技術分野】
【０００１】
本発明は、ネックレスの両端部を連結するネックレス連結具、及びネックレスチェーンの中央部に吊されるペンダントに関する。
【背景技術】
【０００２】
従来、ネックレスの一端部と他端部とを互いに連結するネックレス連結具として、可動部がバネで付勢され全体が円環状を成したものが提案されている（例えば、特許文献１参照）。
【０００３】
また、従来のペンダントは、ネックレスチェーンの中央に設けられたリングに、ペンダント本体のフックを係合させることにより、吊されるのが一般的である。
【０００４】
【特許文献１】実用新案登録第３１４０９８３号公報
【発明の開示】
【発明が解決しようとする課題】
【０００５】
しかしながら、上記従来のネックレス連結具では、ネックレスの取り付け又は取り外しの際、ネックレス連結具の可動部をバネの付勢力に抗して指で操作しなければならず、取り扱い性が非常に悪い。
【０００６】
また、従来のペンダントでは、小さなフックを小さなリングに引っ掛けたり取り外したりしなければならず、ネックレス連結具の場合と同様、取り扱い性が非常に悪い。
【０００７】
本発明の課題は、ネックレスの取り付け又は取り外しの際の取り扱い性の向上を図ったネックレス連結具、及びネックレスチェーンヘの取り付け又は取り外しの際の取り扱い性の向上を図ったペンダントを提供することにある。
【課題を解決するための手段】
【０００８】
上記課題を解決するために、本発明は、ネックレスの一端部と他端部とを互いに連結するネックレス連結具であって、無端状を成した連結具本体が固定分割片と可動分割片とに分割され、前記可動分割片の一側端部は前記固定分割片の一側端部にピンを介して連結されて、前記可動分割片は前記ピン周りに連結具本体内側へのみ回動自在に支持され、かつ前記可動分割片の他側端部は前記固定分割片の他側端部に対向配置され、前記可動分割片の一側端部及び前記固定分割片の一側端部には、互いに異極である第一の磁石対が設けられ、前記可動分割片の他側端部及び前記固定分割片の他側端部には、互いに異極である第二の磁石対が設けられていることを特徴としている。
【０００９】
また、本発明では、前記第一の磁石対は、前記可動分割片の一側端部の端面及び前記固定分割片の一側端部の端面に設けられ、前記第二の磁石対は、前記可動分割片の他側端部の端面及び前記固定分割片の他側端部の端面に設けられていることを特徴としている。
【００１０】
さらに、本発明は、ネックレスチェーンに吊されるペンダントであって、無端状を成したペンダント本体が固定分割片と可動分割片とに分割され、前記可動分割片の一側端部は前記固定分割片の一側端部にピンを介して連結されて、前記可動分割片は前記ピン周りにペンダント本体内側へのみ回動自在に支持され、かつ前記可動分割片の他側端部は前記固定分割片の他側端部に対向配置され、前記可動分割片の一側端部及び前記固定分割片の一側端部には、互いに異極である第一の磁石対が設けられ、前記可動分割片の他側端部及び前記固定分割片の他側端部には、互いに異極である第二の磁石対が設けられていることを特徴としている。
【００１１】
上記各構成によれば、可動分割片の一側端部及び固定分割片の一側端部には互いに異極である第一の磁石対が設けられ、可動分割片の他側端部及び固定分割片の他側端部にも互いに異極である第二の磁石対が設けられているので、可動分割片の一側端部と固定分割片の一側端部との間には吸引力が生じ、可動分割片の他側端部と固定分割片の他側端部との間にも吸引力が生じている。このため、本発明のネックレス連結具及びペンダントでは、前記２つの吸引力の相乗効果により、通常時、可動分割片はその他側端部が固定分割片の他側端部に対向配置された状態、つまり無端状な形状を維持している。
【００１２】
そして、ネックレス連結具の場合は、可動分割片の他側端部を連結具本体内側へ指で押圧すると、可動分割片はピンを中心に回動して、可動分割片の他側端部と固定分割片の他側端部との間には隙間（空間）が生じる。この隙間を介して、ネックレス端部の相手側のリング等を当該連結具本体に容易に着脱することができる。
【００１３】
ペンダントの場合も、同様に、可動分割片の他側端部をペンダント本体内側へ指で押圧すると、可動分割片はピンを中心に回動して、可動分割片の他側端部と固定分割片の他側端部との間には隙間（空間）が生じる。この隙間を介して、例えば、ネックレスチェーン端部のリング部材を当該ペンダント本体に容易に着脱することができる。
【発明の効果】
【００１４】
本発明によれば、第一の磁石対による吸引力及び第二の磁石対による吸引力の相乗効果を利用することにより、ネックレスの取り付けまたは取り外しの際の取り扱い性が向上したネックレス連結具、及びネックレスチェーンヘの取り付けまたは取り外しの際の取り扱い性が向上したペンダントを実現することができる。
【発明を実施するための最良の形態】
【００１５】
以下、本発明の実施例を図面に従って説明する。
【実施例１】
【００１６】
図１〜図３は本発明に係るネックレス連結具を示しており、図１は閉じた状態の連結具本体の外観斜視図、図２は開いた状態の連結具本体の外観斜視図、図３は連結具本体の分解斜視図である。ここで、説明しやすくするために、図１及び図２において、左右方向をＸ方向、Ｘ方向に直角で紙面に略垂直な方向をＹ方向、上下方向をＺ方向とする。
【００１７】
このネックレス連結具１０は、図１及び図２に示すように、扁平リング状を成した連結具本体１０が固定分割片１１と可動分割片１２とに分割され、可動分割片１２の一側端部１２Ａは固定分割片１１の一側端部１１Ａにピン１３を介して連結され、可動分割片１２はピン１３周りに矢印Ａのように連結具本体１０内側へのみ回動自在に支持されている。また、可動分割片１２の他側端部１２Ｂは固定分割片１１の他側端部１１Ｂに対向配置されている。
【００１８】
固定分割片１１及び可動分割片１２は断面がほぼ矩形を成している。固定分割片１１は、その矩形断面のうち一方の辺の長さ（連結具本体１０の径方向に沿った長さ）が一側端部１１Ａでは最も長く、他側端部１１Ｂに近付くにつれて漸次短くなり、他側端部１１Ｂで最も短くなっている。これに合わせて、可動分割片１２は、その矩形断面のうち一方の辺の長さ（連結具本体１０の径方向に沿った長さ）が一側端部１２Ａでは最も長く、他側端部１２Ｂで最も短くなっている。
【００１９】
前記矩形断面の他方の辺（Ｙ方向の辺）の長さは、固定分割片１１も可動分割片１２もどこでも一定である。つまり、固定分割片１１及び可動分割片１２は、それらの厚みが全ての部位で一定に設定されている。
【００２０】
固定分割片１１の一側端部１１ＡはＸ−Ｙ面（Ｘ方向とＹ方向を含む面）でカットされ、そのカット面１４の中央部には、図３（ａ）に示すように、凹所１５が形成されている。凹所１５は、ピン１３が嵌合されるピン孔１６側が最も浅く、ピン孔１６から離れるにつれて深く形成されており、凹所１５の上面は円弧面を成している。また、凹所１５の中央部には円形の窪み１７が形成されている。さらに、凹所１５のうち、ピン孔１６に近い側の端部には切欠き１８が設けられている。
【００２１】
一方、可動分割片１２の一側端部１２Ａも、固定分割片１１のカット面１４に合わせてＸ−Ｙ面でカットされ、そのカット面１９の中央部には、図３（ｂ）に示すように、出っ張り部２０が形成されている。また、可動分割片１２の一側端部１２Ａには、固定分割片１１の切欠き１８に合わせて凸部２１が設けちれ、この凸部２１にはピン孔２２が形成されている。出っ張り部２０は、凸部２１に近い側が最も低く、凸部２１から離れるにつれて大きくせり上がっており、出っ張り部２０の下面は、凹所１５上面に合わせて円弧面を成している。出っ張り２０の中央部には円形の窪み２３が形成されている。
【００２２】
固定分割片１１の一側端部１１Ａに形成された円形の窪み１７と、可動分割片１２の一側端部１２Ａに形成された円形の窪み２３には、図２に示すように、磁石（永久磁石）２４、２５がそれぞれ埋め込まれている。これら磁石２４、２５は互いに異極であって、例えば、磁石２４がＮ極のときは、磁石２５はＳ極であり、磁石２４がＳ極のときは、磁石２５はＮ極である。なお、磁石２４、２５は第一の磁石対を構成している。
【００２３】
固定分割片１１の他側端部１１ＢはＹ−Ｚ面（Ｙ方向とＺ方向を含む面）でカットされ、そのカット面２６の中央部には、図３（ａ）に示すように、円形の窪み２７が形成されている。一方、可動分割片１２の他側端部も、固定分割片１１のカット面２６に合わせてＹ−Ｚ面でカットされ、そのカット面２８の中央部には、図３（ｂ）に示すように、円形の窪み２９が形成されている。
【００２４】
固定分割片１１の他側端部１１Ｂに形成された円形の窪み２７と、可動分割片１２の他側端部１２Ｂに形成された円形の窪み２９には、図２に示すように、磁石（永久磁石）３０、３１がそれぞれ埋め込まれている。これら磁石３０、３１は互いに異極であって、例えば、磁石３０がＮ極のときは、磁石３１はＳ極であり、磁石３０がＳ極のときは、磁石３１はＮ極である。なお、磁石３０、３１は第二の磁石対を構成している。
【００２５】
次に、連結具本体１０を組み立てる場合は、可動分割片１２の出っ張り部２０を固定分割片１１の凹所１５に嵌め込むとともに、可動分割片１２の凸部２１を固定分割片１１の切欠き１８内に位置させる。そして、固定分割片１１の２つのピン孔１６と可動分割片１２の凸部２１のピン孔２２にピン１３を圧入する。これにより、可動分割片１２は、ピン１３回りに回動自在に固定分割片１１の一側端部１１Ａに組み付けられる。このとき、可動分割片１２と固定分割片１１とは、Ｘ−Ｙ面でカットされたカット面１４、１９で互いに密接し、さらに、ピン１３がカット面１４、１９の内側（連結具本体１０の内周面側）に設けられているので、可動分割片１２は矢印Ａのように連結具本体１０の内側へのみ回動自在となる。
【００２６】
図４及び図５は、本発明に係るネックレス連結具が実際にネックレスに用いられた一例を示している。図４は、ネックレス３２の一端部に取り付けられたリング部材３３と、ネックレス３２の他端側に取り付けられたリング部材３４と、を連結具本体１０で連結した様子を示している。また、図５は、ネックレス３２の他端部に取り付けられたリング部材３４を、連結具本体１０から取り外した様子を示している。
【００２７】
次に、本実施例におけるネックレス連結具の作用について説明する。
【００２８】
固定分割片１１の一側端部１１Ａ及び可動分割片１２の一側端部１２Ａには、互いに異極の磁石２４、２５が設けられ、固定分割片１１の他側端部１１Ｂ及び可動分割片１２の他側端部１２Ｂにも互いに異極の磁石３０、３１が設けられているので、固定分割片１１の一側端部１１Ａと可動分割片１２の一側端部１２Ａとの間には吸引力が生じ、固定分割片１１の他側端部１１Ｂと可動分割片１２の他側端部１２Ｂとの間にも吸引力が生じている。このため、連結具本体１０は、前記２つの吸引力により、通常時、可動分割片１２はその他側端部１２Ｂが固定分割片１１の他側端部１１Ｂに対向配置された状態、つまり無端状な形状を維持している。
【００２９】
そして、ネックレス３２を取り付けたり取り外したりする場合、可動分割片１２の他側端部１２Ｂを指で連結具本体１０内側へ押圧すると、可動分割片１２はピン１３を中心に矢印Ａのように回動して、可動分割片１２の他側端部１２Ｂと固定分割片１１の他側端部１１Ｂとの間には隙間（空間）が生じる。この隙間を介して、ネックレス３２端部のリング部材３３、３４を連結具本体１０に係合させることができる。
【００３０】
可動分割片１２から指を離すと、可動分割片１２は、磁石２４、２５の吸引力と磁石３０，３１の吸引力との相乗効果によって、ピン１３を中心に矢印Ａとは逆方向に回動し、通常時の状態に戻る。
【００３１】
本実施例によれば、固定分割片１１の一側端部１１Ａの磁石２４と可動分割片１２の一側端部１２Ａの磁石２５による吸引力、及び固定分割片１１の他側端部１１Ｂの磁石３０と可動分割片１２の他側端部１２Ｂの磁石３１による吸引力の相乗効果を利用することにより、ネックレス３２の取り付けまたは取り外しの際の取り扱い性の向上を図ることができる。
【００３２】
また、例えばネックレス３２端部のリング部材３４を連結具本体１０に取り付ける際、リング部材３４で連結具本体１０の可動分割片１２を押圧させるだけで、ワンタッチでリング部材３４を連結具本体１０に係合させることができる。
【実施例２】
【００３３】
図６は、実施例２を示しており、ペンダントに関する例である。このペンダントの基本的構成は実施例１のネックレス連結具と同じである。すなわち、ペンダントは、図６に示すように、円環状を成したペンダント本体４０が固定分割片４１と可動分割片４２とに分割され、可動分割片４２の一側端部は固定分割片４１の一側端部にピン（図示省略）を介して連結されて、可動分割片４２は前記ピン周りにペンダント本体４０内側へのみ回動自在に支持されている。また、可動分割片４２の他側端部は固定分割片４１の他側端部に対向、配置されている。ペンダント本体４０には、円周方向に沿って多数の石（宝石)４３が散りばめられている。
【００３４】
固定分割片４１の一側端部及び可動分割片４２の一側端部には、互いに異極の磁石（永久磁石）が埋め込まれている。これら磁石は第一の磁石対を構成している。また、固定分割片４１の他側端部及び可動分割片４２の他側端部にも、互いに異極の磁石（永久磁石）が埋め込まれている。これら磁石は第二の磁石対を構成している。
【００３５】
また、ネックレスチェーン４４が設けられ、このネックレスチェーン４４の一端側には３つのリング４５Ａ、４５Ｂ、４５Ｃが組み合わされたリング郡４５が、他端側には１つのリング４６がそれぞれ設けられている。そして、リング郡４５のうちのリング４５Ａ及びリング４６がペンダント本体４０に係合されている。
【００３６】
このようにペンダント本体４０にリング４５Ａやリング４６を係合させるには、ペンダント本体４０の可動分割片４２を指で押圧し、可動分割片４２を前記ピンを中心にペンダント本体４０内側へ回動させて、可動分割片４２の他側端部と固定分割片４１の他側端部との間に隙間を形成するようにする。このような隙間ができれば、この隙間を介してペンダント本体４０にリング４５Ａやリング４６を係合させることができる。ペンダント本体４０からリング４５Ａやリング４６を取り外す場合も同様である。
【００３７】
本実施例によれば、固定分割片４１の一側端部の磁石と可動分割片４２の一側端部の磁石による吸引力、及び固定分割片４１の他側端部の磁石と可動分割片４２の他側端部の磁石による吸引力の相乗効果を利用することにより、ペンダント本体４０へのリング４５Ａ、４６の取り付けまたは取り外しの際の取り扱い性の向上を図ることができる。
【実施例３】
【００３８】
図７は実施例３を示しており、形状の異なるペンダント本体に対して本発明を適用した例である。
【００３９】
同図（ａ）はペンダント本体４０が楕円の環状の場合を、同図（ｂ）はペンダント本体４０が円環状の場合（図６と同じである）を、同図（ｃ）はペンダント本体４０がハート形の環状の場合をそれぞれ示している。これら（ａ）〜（ｃ）の場合も、実施例２の場合と同様、ペンダント本体４０は固定分割片４１と可動分割片４２とに分割され、可動分割片４２は、ぺンダント本体４０内側へのみピン回りに回動自在となっている。また、第一の磁石対や第二の磁石対が設けられている点も実施例２と同様である。
【００４０】
本実施例によれば、種々の形状のペンダント本体に本発明を適用することができる。
【００４１】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００４２】
例えば、ネックレス連結具において、固定分割片１１及び可動分割片１２の断面は矩形に限らず、円形や楕円形でも良い。
【図面の簡単な説明】
【００４３】
【図１】可動分割片が閉じた状態のネックレス連結具の外観斜視図である。
【図２】可動分割片が開いた状態のネックレス連結具の外観斜視図である。
【図３】連結具本体の分解斜視図であって、（ａ）は固定分割片の斜視図、（ｂ）は可動分割片の斜視図である。
【図４】ネックレスの一端部のリング部材と他端側のリング部材とを連結具本体で連結した様子を示す図である。
【図５】ネックレスの他端部のリング部材を連結具本体から取り外した様子を示す図である。
【図６】ペンダントの全体構成図である。
【図７】ペンダントの種々の例を示しており、（ａ）はペンダント本体が楕円の環状の場合を、（ｂ）はペンダント本体が円環状の場合を、（ｃ）はペンダント本体がハート形の環状の場合をそれぞれ示す図である。
【符号の説明】
【００４４】
１０  連結具本体
１１  固定分割片
１１Ａ  一側端部
１１Ｂ  他側端部
１２  可動分割片
１２Ａ  一側端部
１２Ｂ  他側端部
１３  ピン
２４，２５  磁石（第一の磁石対）
３０，３１  磁石（第二の磁石対）
３２  ネックレス
４０  ペンダント本体
４１  固定分割片
４２  可動分割片
【図１】
2010022688.tif 000003
【図２】
2010022688.tif 000004
【図３】
2010022688.tif 000005
【図４】
2010022688.tif 000006
【図５】
2010022688.tif 000007
【図６】
2010022688.tif 000008
【図７】
2010022688.tif 000009